(57)【要約】【課題】機器の動作レベルの制御に対する操作性が高められた制御スイッチを提供する。【解決手段】機器３の動作レベルを制御する制御スイッチ１であって、並んで配置され、被センシング物２をセンシングする３以上の複数のセンサ１０であって、複数のレベル値が割り当てられた複数のセンサ１０と、複数のセンサ１０のうち被センシング物２をセンシングしたセンサに割り当てられたレベル値に応じた動作レベルで機器３を動作させる制御部３０とを備え、複数のセンサ１０は、隣り合う２つのセンサ間の配置間隔が不均一になるように配置されている。【選択図】図２
2017134995.tif 000002
【特許請求の範囲】
【請求項１】
機器の動作レベルを制御する制御スイッチであって、
並んで配置され、被センシング物をセンシングする３以上の複数のセンサであって、複数のレベル値が割り当てられた複数のセンサと、
前記複数のセンサのうち前記被センシング物をセンシングしたセンサに割り当てられたレベル値に応じた動作レベルで前記機器を動作させる制御部とを備え、
前記複数のセンサは、隣り合う２つのセンサ間の配置間隔が不均一になるように配置されている
制御スイッチ。
【請求項２】
前記複数のセンサは、
前記機器の第１動作範囲に属するレベル値が割り当てられた複数の第１センサと、
前記第１動作範囲より広く、かつ、前記第１動作範囲に重複しない前記機器の第２動作範囲に属するレベル値が割り当てられた複数の第２センサとを含み、
前記複数の第１センサ間の配置間隔は、前記複数の第２センサ間の配置間隔より広い
請求項１に記載の制御スイッチ。
【請求項３】
前記複数のセンサには、その並び方向に沿って前記複数のレベル値が昇順又は降順で割り当てられている
請求項２に記載の制御スイッチ。
【請求項４】
前記複数のセンサでは、前記並び方向に沿って、隣り合う２つのセンサ間の配置間隔が漸増又は漸減している
請求項３に記載の制御スイッチ。
【請求項５】
前記機器の動作範囲は、前記第１動作範囲及び前記第２動作範囲の少なくとも一方を複数有し、
前記複数のセンサは、前記複数の第１センサのセット及び前記複数の第２センサのセットの少なくとも一方を複数含んでいる
請求項２〜４のいずれか１項に記載の制御スイッチ。
【請求項６】
前記制御部は、前記複数のセンサのうち２つのセンサが略同時に前記被センシング物をセンシングした場合、当該２つのセンサに割り当てられた２つのレベル値の平均値に応じた動作レベルで前記機器を動作させる
請求項１〜５のいずれか１項に記載の制御スイッチ。
【請求項７】
前記複数のセンサには、前記複数のレベル値が等しいレベル間隔で割り当てられている
請求項１〜６のいずれか１項に記載の制御スイッチ。
【請求項８】
前記複数のセンサは、一直線に並んで配置されている
請求項１〜７のいずれか１項に記載の制御スイッチ。
【請求項９】
前記複数のセンサは、静電容量式の非接触センサである
請求項１〜８のいずれか１項に記載の制御スイッチ。
【請求項１０】
前記複数のセンサは、赤外線センサである
請求項１〜８のいずれか１項に記載の制御スイッチ。
【発明の詳細な説明】
【技術分野】
【０００１】
本開示は、機器の動作レベルを制御する制御スイッチに関する。
【背景技術】
【０００２】
従来、複数のタッチセンサを備える照明装置が知られている（例えば、特許文献１参照）。特許文献１に記載の照明装置では、複数のタッチセンサの各々に光出力が割り当てられており、タッチ入力を検出したタッチセンサに割り当てられた光出力で点灯する。
【先行技術文献】
【特許文献】
【０００３】
【特許文献１】特開２０１４−１８６９３１号公報
【発明の概要】
【発明が解決しようとする課題】
【０００４】
上記従来の照明装置では、光出力の微調整を行うことが難しい。また、動作レベルを大きく変更する場合には操作量も大きくなる。このように、上記従来の照明装置には操作性が悪いという問題がある。
【０００５】
そこで、本開示は、機器の動作レベルの制御に対する操作性が高められた制御スイッチを提供する。
【課題を解決するための手段】
【０００６】
上記課題を解決するため、本開示の一態様に係る制御スイッチは、機器の動作レベルを制御する制御スイッチであって、並んで配置され、被センシング物をセンシングする３以上の複数のセンサであって、複数のレベル値が割り当てられた複数のセンサと、前記複数のセンサのうち前記被センシング物をセンシングしたセンサに割り当てられたレベル値に応じた動作レベルで前記機器を動作させる制御部とを備え、前記複数のセンサは、隣り合う２つのセンサ間の配置間隔が不均一になるように配置されている。
【発明の効果】
【０００７】
本開示によれば、機器の動作レベルの制御に対する操作性が高められた制御スイッチを提供することができる。
【図面の簡単な説明】
【０００８】
【図１】実施の形態に係る制御スイッチが制御する機器を示す概観斜視図である。
【図２】実施の形態に係る制御スイッチの構成を示す図である。
【図３Ａ】実施の形態に係る制御スイッチの複数のセンサの配置の実施例１を示す図である。
【図３Ｂ】実施の形態に係る制御スイッチの複数のセンサの配置の実施例２を示す図である。
【図４】実施の形態に係る制御スイッチの複数のセンサに割り当てられた複数のレベル値と機器の動作範囲との関係を示す図である。
【図５】変形例１に係る制御スイッチの複数のセンサに割り当てられた複数のレベル値と機器の動作範囲との関係を示す図である。
【図６】変形例１に係る制御スイッチの複数のセンサの配置の一例を示す図である。
【図７】変形例２に係る制御スイッチの複数のセンサが略同時に被センシング物をセンシングする様子を示す図である。
【発明を実施するための形態】
【０００９】
（本開示の概要）
上記課題を解決するために、本開示の一態様に係る制御スイッチは、機器の動作レベルを制御する制御スイッチであって、並んで配置され、被センシング物をセンシングする３以上の複数のセンサであって、複数のレベル値が割り当てられた複数のセンサと、前記複数のセンサのうち前記被センシング物をセンシングしたセンサに割り当てられたレベル値に応じた動作レベルで前記機器を動作させる制御部とを備え、前記複数のセンサは、隣り合う２つのセンサ間の配置間隔が不均一になるように配置されている。
【００１０】
例えば、複数のセンサが等間隔で配置されている場合には、微調整が困難又は不可能である。また、例えば、動作レベルを大きく変更したい場合には、手をスライドさせる距離（操作量）が大きくなる。このため、機器の動作レベルの制御に対する操作性が悪い。
【００１１】
本開示の一態様に係る制御スイッチによれば、複数のセンサの配置間隔が不均一になるので、配置間隔が大きくなっている部分では、手の揺れなどによって意図せずに隣のセンサのセンシング範囲に入りにくくなるので、意図しないレベル値の変更を抑制することができる。したがって、狭い動作範囲でのレベル値の調整（すなわち、微調整）が行いやすくなる。また、配置間隔が小さくなっている部分では、少ない操作量で動作レベルを大きくすることができる。このように、本開示の一態様に係る制御スイッチによれば、機器の動作レベルの制御に対する操作性を高めることができる。
【００１２】
また、例えば、前記複数のセンサは、前記機器の第１動作範囲に属するレベル値が割り当てられた複数の第１センサと、前記第１動作範囲より広く、かつ、前記第１動作範囲に重複しない前記機器の第２動作範囲に属するレベル値が割り当てられた複数の第２センサとを含み、前記複数の第１センサ間の配置間隔は、前記複数の第２センサ間の配置間隔より広くてもよい。
【００１３】
これにより、狭い第１動作範囲では複数のセンサの配置間隔が大きくなり、広い第２動作範囲では複数のセンサの配置間隔が小さくなるので、第１動作範囲では、意図しないレベル変更を抑制することができ、第２動作範囲では、少ない操作量で動作レベルを大きく変更することができる。
【００１４】
また、例えば、前記複数のセンサには、その並び方向に沿って前記複数のレベル値が昇順又は降順で割り当てられていてもよい。
【００１５】
これにより、制御スイッチを操作する手などの被センシング物を複数のセンサの並び方向に沿ってスライドさせることで、動作レベルを大きく又は小さくすることができる。被センシング物の移動距離及び移動方向によって、動作レベルの大小を制御することができる。
【００１６】
また、例えば、前記複数のセンサでは、前記並び方向に沿って、隣り合う２つのセンサ間の配置間隔が漸増又は漸減していてもよい。
【００１７】
これにより、配置間隔が漸増又は漸減するので、被センシング物の動きに合わせてより自然な割り当てが実現できる。このため、操作性が高められる。
【００１８】
また、例えば、前記機器の動作範囲は、前記第１動作範囲及び前記第２動作範囲の少なくとも一方を複数有し、前記複数のセンサは、前記複数の第１センサのセット及び前記複数の第２センサのセットの少なくとも一方を複数含んでいてもよい。
【００１９】
これにより、例えば、微調整が必要な動作範囲が複数存在する場合であっても、複数の動作範囲の各々で配置間隔を大きくすることができるので、意図しないレベル変更が抑制されて微調整が行いやすくなる。あるいは、微調整が不要な動作範囲が複数存在する場合であっても、複数の動作範囲の各々で配置間隔を大きくすることができるので、少ない操作量で大きくレベル値を変更することができる。
【００２０】
また、例えば、前記制御部は、前記複数のセンサのうち２つのセンサが略同時に前記被センシング物をセンシングした場合、当該２つのセンサに割り当てられた２つのレベル値の平均値に応じた動作レベルで前記機器を動作させてもよい。
【００２１】
これにより、センサの個数を抑制しつつ、より高い精度で動作レベルを調整することができる。センサの個数が抑制されるので、制御スイッチの小型化、軽量化及び低コスト化を実現することができる。
【００２２】
また、例えば、前記複数のセンサには、前記複数のレベル値が等しいレベル間隔で割り当てられていてもよい。
【００２３】
これにより、複数のセンサには等しいレベル間隔でレベル値が割り当てられているので、操作者がセンサに割り当てられたレベル値を把握しやすくなり、操作性を高めることができる。
【００２４】
また、例えば、前記複数のセンサは、一直線に並んで配置されていてもよい。
【００２５】
これにより、直線方向に沿って被センシング物をスライドさせればよいので、操作が簡単になり、操作性を高めることができる。
【００２６】
また、例えば、前記複数のセンサは、静電容量式の非接触センサであってもよい。あるいは、例えば、前記複数のセンサは、赤外線センサであってもよい。
【００２７】
これにより、非接触の制御スイッチにおいて、特に操作性が高められる。例えば、接触操作では、スイッチ（センサ）に直接触れることで手（指）の位置が安定するため、微調整がしやすく、意図しない操作による誤動作なども発生しにくい。一方で、非接触操作では、手（指）が制御スイッチに対して浮いた状態であるので、その位置が安定しにくい。そのため、手又は体の揺れなどによって、意図せずに隣のセンサのセンシング範囲に手が入ってしまうことがある。
【００２８】
本開示の一態様に係る制御スイッチによれば、複数のセンサの配置間隔が不均一になるので、配置間隔が大きくなっている部分では、手の揺れなどによって意図せずに隣のセンサのセンシング範囲に入りにくくなるので、意図しないレベル値の変更を抑制することができる。したがって、微調整が行いやすくなる。また、配置間隔が小さくなっている部分では、少ない操作量で動作レベルを大きくすることができる。このように、本開示の一態様に係る制御スイッチによれば、機器の動作レベルの制御に対する操作性を高めることができる。
【００２９】
以下では、実施の形態について、図面を参照しながら具体的に説明する。
【００３０】
なお、以下で説明する実施の形態は、いずれも包括的又は具体的な例を示すものである。以下の実施の形態で示される数値、形状、材料、構成要素、構成要素の配置位置及び接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。
【００３１】
また、各図は、模式図であり、必ずしも厳密に図示されたものではない。したがって、例えば、各図において縮尺などは必ずしも一致しない。また、各図において、実質的に同一の構成については同一の符号を付しており、重複する説明は省略又は簡略化する。
【００３２】
（実施の形態）
［１．構成］
まず、実施の形態に係る制御スイッチの構成について、図１及び図２を用いて説明する。図１は、本実施の形態に係る制御スイッチ１が制御する機器３を示す概観斜視図である。図２は、本実施の形態に係る制御スイッチ１の構成を示す図である。
【００３３】
制御スイッチ１は、例えば、明るさ（調光比）又は音量などのレベルを調整するためのレベル調整用の制御スイッチである。制御スイッチ１は、機器３の動作レベルを制御する。具体的には、制御スイッチ１は、複数のセンサ１０による被センシング物２のセンシング結果に基づいて、機器３の動作レベルを制御する。例えば、制御スイッチ１は、複数のセンサ１０によって被センシング物２のスライドを検知し、検知したスライドの方向などに応じて照明装置を明るく又は暗く調整する。
【００３４】
図１に示すように、被センシング物２は、例えば、ユーザの手などである。被センシング物２は、手に限らず、指、脚、頭などの人体の他の一部でもよく、あるいは、タッチペンなどの物体でもよい。
【００３５】
機器３は、動作レベルが調整可能な所定の動作を行う機器である。例えば、機器３は、図１に示すように、調光又は調色機能を有する照明装置である。図１では、一例としてデスクスタンドを示している。図１に示すように、機器３は、光源４と、支持部５とを備える。
【００３６】
光源４は、ＬＥＤ（Ｌｉｇｈｔ  Ｅｍｉｔｔｉｎｇ  Ｄｉｏｄｅ）などの発光素子を備える光源モジュールである。光源４は、ＬＥＤの代わりに、有機ＥＬ（Ｅｌｅｃｔｒｏ  Ｌｕｍｉｎｅｓｃｅｎｃｅ）素子又はレーザ素子などを備えてもよい。
【００３７】
支持部５は、光源４を支える支持部であり、機器３の外郭筐体を構成する。支持部５は、樹脂材料又は金属材料などから形成される。
【００３８】
なお、機器３は、オーディオ機器又は空調機器などの各種エレクトロニクス機器でもよい。機器３は、制御スイッチ１によって制御された動作レベル（例えば、調光比、音量、温度など）で動作する。
【００３９】
本実施の形態では、制御スイッチ１は、機器３に設けられる。すなわち、制御スイッチ１と機器３とは、一体に構成されている。具体的には、図１に示すように、制御スイッチ１は、支持部５の内部に配置される。支持部５には、開口が設けられ、制御スイッチ１は、当該開口を介して制御スイッチ１の複数のセンサ１０が露出するように支持部５の内部に配置されている。なお、開口には、センサ１０を保護するためのカバーが設けられていてもよい。
【００４０】
なお、制御スイッチ１は、例えば、機器３を操作するリモコン装置（図示せず）に設けられてもよい。すなわち、制御スイッチ１と機器３とは、無線又は有線で通信してもよい。
【００４１】
図２に示すように、制御スイッチ１は、複数のセンサ１０と、基台２０と、制御部３０とを備える。制御部３０は、システムＬＳＩ（Ｌａｒｇｅ  Ｓｃａｌｅｄ  Ｉｎｔｅｇｒａｔｉｏｎ）又はマイクロコンピュータなどの制御回路によって実現される。当該制御回路は、例えば、基台２０に実装される。以下では、制御スイッチ１が備える各構成要素の詳細について説明する。
【００４２】
［１−１．センサ］
複数のセンサ１０は、並んで配置され、被センシング物２をセンシングする複数のセンサである。複数のセンサ１０の個数は、３以上である。本実施の形態では、図３Ａ又は図３Ｂに示すように、制御スイッチ１が６個のセンサ１１〜１６を備える例について説明する。図３Ａ及び図３Ｂはそれぞれ、本実施の形態に係る制御スイッチ１の複数のセンサ１１〜１６の配置の実施例１及び２を示す図である。以下の説明において、センサ１１〜１６を特に区別しない場合には、センサ１０として説明を行う。
【００４３】
複数のセンサ１０は、基台２０上に並んで配置されている。本実施の形態では、複数のセンサ１０は、一直線に並んで配置されている。なお、複数のセンサ１０は、直線に限らず、曲線に沿って配置されていてもよい。あるいは、複数のセンサ１０は、マトリクス状に配置されていてもよい。
【００４４】
本実施の形態では、複数のセンサ１０は、隣り合う２つのセンサ間の配置間隔が不均一になるように配置されている。配置の具体例については、後で説明する。
【００４５】
複数のセンサ１０には、複数のレベル値が割り当てられている。具体的には、複数のセンサ１０には、複数のレベル値が一対一で割り当てられている。図３Ａ及び図３Ｂにおいて、６個のセンサ１１〜１６を示す円の中に記載された数値が、各々に割り当てられたレベル値の一例を示している。
【００４６】
図４は、本実施の形態に係る制御スイッチ１の複数のセンサ１１〜１６に割り当てられた複数のレベル値と機器３の動作範囲との関係を示す図である。図４に示すように、センサ１１〜１６には、レベル間隔が等間隔になるように、複数のレベル値が割り当てられている。一例として、レベル間隔は「２０」である。なお、レベル間隔は、隣り合う２つのセンサ１０間における、各々に割り当てられたレベル値のレベル差である。レベル間隔は、等間隔でなくてもよく、例えば、複数のセンサ１０の並び方向に沿って漸増又は漸減していてもよい。
【００４７】
割り当てられたレベル値は、複数のセンサ１０又はその近傍に表示されてもよい。例えば、複数のセンサ１０の各々の近傍に、各々に割り当てられたレベル値を表示する表示部が設けられていてもよい。当該表示部は、液晶ディスプレイなどである。
【００４８】
複数のセンサ１０は、静電容量式の非接触センサである。センサ１０は、センシング範囲内に被センシング物２が入った場合に、静電容量が変化する。つまり、センサ１０は、静電容量の変化によって被センシング物２をセンシングする。
【００４９】
複数のセンサ１０は、各々のセンシング範囲が互いに重複しないように配置されている。例えば、複数のセンサ１０の各々のセンシング範囲は、各々の直上領域である。つまり、センシング範囲は、上面視において、図２に示すセンサ１０の円形の範囲である。なお、直上（又は上方）とは、基台２０のセンサ１０が設置された面の法線方向を意味する。センシング範囲の形状はこれに限定されず、正方形などの多角形又は楕円形などでもよい。
【００５０】
なお、複数のセンサ１０は、非接触方式で被センシング物２をセンシングするセンサであればよく、例えば、赤外線センサでもよい。あるいは、複数のセンサ１０は、タッチセンサなどの接触式のセンサでもよい。
【００５１】
［１−２．基台］
基台２０は、複数のセンサ１０を支持する部材である。基台２０は、例えば、板状の基板であり、主面に複数のセンサ１０が並んで配置されている。基台２０は、例えば、ガラス基板、樹脂基板などである。基台２０の形状及び大きさなどは、特に限定されない。基台２０は、可撓性を有するフレキシブル基板でもよい。このため、複数のセンサ１０は、曲面に沿って並んで配置されていてもよい。
【００５２】
基台２０には、金属などの導電性材料から形成されるパターン配線が形成されている。パターン配線は、複数のセンサ１０の各々と、制御部３０を実現する制御回路とを電気的に接続している。これにより、複数のセンサ１０の各々から被センシング物２のセンシング結果が制御部３０に送信される。
【００５３】
［１−３．制御部］
制御部３０は、複数のセンサ１０のうち被センシング物２をセンシングしたセンサに割り当てられたレベル値に応じた動作レベルで機器３を動作させる。本実施の形態では、制御部３０は、機器３の光源４を制御する。制御部３０と光源４（機器３）とは、有線又は無線で接続されている。制御部３０は、レベル値を示す制御信号を有線又は無線で光源４に送信することで、光源４の動作レベル（調光比）を制御する。光源４は、制御部３０から制御信号を受信した場合に、制御信号が示すレベル値に応じた動作レベルで動作する。
【００５４】
一例として、複数のセンサ１０には図３Ａに示すレベル値の割り当てが行われている場合において、被センシング物２がセンサ１５のセンシング範囲内に位置し、センサ１５が被センシング物２をセンシングした場合を想定する。この場合、制御部３０は、センサ１５に割り当てられたレベル値「８０」を示す制御信号を光源４に送信する。光源４は、レベル値が「８０」であることを示す制御信号を受信したとき、調光比「８０」で点灯する。
【００５５】
制御部３０は、例えば、機器３の制御プログラムなどが格納された不揮発性メモリ、制御プログラムを実行するための一時的な記憶領域である揮発性メモリ、入出力ポート、制御プログラムを実行するプロセッサなどで実現される。
【００５６】
［２．センサの配置］
以下では、本実施の形態に係る複数のセンサ１０の配置について説明する。本実施の形態に係る複数のセンサ１０は、各々に割り当てられたレベル値が機器３の動作範囲のうち、微調整が必要な第１動作範囲に属するか、微調整が不要な第２動作範囲に属するかによってその配置が定められている。まず、図４を用いて機器３の動作範囲について説明する。
【００５７】
本実施の形態では、機器３は、図４に示すように、レベル値（調光比）「０」〜「１００」までの動作範囲で動作する。具体的には、機器３は、消灯（調光比「０」）、調光点灯、全点灯（調光比「１００」）の間で動作する。
【００５８】
機器３の動作範囲には、微調整が必要な第１動作範囲と、微調整が不要な第２動作範囲とが含まれる。第１動作範囲と第２動作範囲とは、互いに排他的である。言い換えると、第１動作範囲と第２動作範囲とは重複しない。
【００５９】
本実施の形態では、第２動作範囲は、第１動作範囲より広い。具体的には、第１動作範囲は、レベル値「０」から「４０」までのレベル差「４０」の範囲である。第２動作範囲は、レベル値「４０」から「１００」までのレベル差「６０」の範囲である。
【００６０】
なお、図４は一例に過ぎず、第１動作範囲と第２動作範囲とはこれに限定されない。例えば、本実施の形態では、第１動作範囲と第２動作範囲とが連続しているが、連続せずに離れていてもよい。また、第１動作範囲と第２動作範囲とでレベル差が等しくてもよい。あるいは、第１動作範囲が第２動作範囲より狭くてもよい。
【００６１】
［２−２．実施例１］
実施例１では、図３Ａに示すように、センサ１１〜１３は、第１動作範囲に属するレベル値が割り当てられた第１センサであり、配置間隔ｄ１で等間隔に配置されている。センサ１３〜１６は、第２動作範囲に属するレベル値が割り当てられた第２センサであり、配置間隔ｄ２で等間隔に配置されている。配置間隔ｄ１は、配置間隔ｄ２より大きい。また、センサ１１〜１６には、レベル間隔が「２０」で互いに等しくなるように、レベル値が昇順で割り当てられている。
【００６２】
図３Ａに示すように、第１動作範囲に属するセンサ１１〜１３は、広い配置間隔で配置されているので、被センシング物２は、意図しないセンサのセンシング範囲内に入りにくくなる。したがって、意図しないレベル変更などが抑制され、狭い動作範囲でのレベル値の調整が容易になり、操作性が高められている。
【００６３】
また、第２動作範囲に属するセンサ１３〜１６は、狭い配置間隔で配置されているので、例えば、被センシング物２をスライドさせてレベル値を「４０」から「１００」まで増加させる場合に、被センシング物２の移動量を少なくすることができる。したがって、少ない移動量で大きなレベル変更が可能となるので、操作性が高められている。
【００６４】
［２−３．実施例２］
実施例２では、図３Ｂに示すように、センサ１１〜１３は、第１動作範囲に属するレベル値が割り当てられた第１センサである。センサ１３〜１６は、第２動作範囲に属するレベル値が割り当てられた第２センサである。センサ１１〜１６は、その並び方向に沿って、配置間隔が漸減するように配置されている。
【００６５】
具体的には、図３Ｂに示すように、センサ１１とセンサ１２との配置間隔Ｄ１、センサ１２とセンサ１３との配置間隔Ｄ２、センサ１３とセンサ１４との配置間隔Ｄ３、センサ１４とセンサ１５との配置間隔Ｄ４、及び、センサ１５とセンサ１６との配置間隔Ｄ５は、Ｄ１≧Ｄ２≧Ｄ３≧Ｄ４≧Ｄ５を満たす。なお、センサ１１〜１６では、その並び方向に沿って、配置間隔が漸増していてもよい。
【００６６】
これにより、実施例１の場合と同様に、第１動作範囲に属するセンサ１１〜１３においては、意図しないレベル変更が抑制され、狭い動作範囲でのレベル値の調整が容易になり、操作性が高められている。第２動作範囲に属するセンサ１３〜１６においては、少ない移動量で大きなレベル変更が可能となるので、操作性が高められている。また、配置間隔が漸減しているので、被センシング物２の動きに合わせてより自然な割り当てとなっている。このため、操作性がより高められている。
【００６７】
［３．効果など］
以上のように、本実施の形態に係る制御スイッチ１では、機器３の動作レベルを制御する制御スイッチであって、並んで配置され、被センシング物２をセンシングする３以上の複数のセンサ１０であって、複数のレベル値が割り当てられた複数のセンサ１０と、複数のセンサ１０のうち被センシング物２をセンシングしたセンサに割り当てられたレベル値に応じた動作レベルで機器３を動作させる制御部３０とを備え、複数のセンサ１０は、隣り合う２つのセンサ間の配置間隔が不均一になるように配置されている。
【００６８】
これにより、複数のセンサ１０の配置間隔が不均一になるので、配置間隔が大きくなっている部分では、手の揺れなどによって意図せずに隣のセンサのセンシング範囲に入りにくくなるので、意図しないレベル値の変更を抑制することができる。したがって、微調整が行いやすくなる。また、配置間隔が小さくなっている部分では、少ない操作量で動作レベルを大きくすることができる。このように、制御スイッチ１によれば、機器３の動作レベルの制御に対する操作性を高めることができる。
【００６９】
（変形例１）
以下では、上記の実施の形態に係る制御スイッチの変形例１について、図５及び図６を用いて説明する。
【００７０】
図５は、本変形例に係る制御スイッチ１の複数のセンサ１０に割り当てられた複数のレベル値と機器３の動作範囲との関係を示す図である。図６は、本変形例に係る制御スイッチ１の複数のセンサ１０の配置の一例を示す図である。
【００７１】
本変形例に係る制御スイッチ１は、微調整が必要な第１動作範囲を複数有する機器３を制御するスイッチである。図６に示すように、制御スイッチ１は、１１個のセンサ１０ａ〜１０ｋを備える。なお、センサの個数はこれに限定されず、実施の形態と同様に６個でもよい。本変形例では、説明を分かりやすくするために１１個のセンサ１０ａ〜１０ｋを例示する。
【００７２】
本変形例では、図５に示すように、機器３の動作範囲は、微調整が必要な２つの第１動作範囲と微調整が不要な１つの第２動作範囲とを有する。例えば、レベル値の最小値近傍と最大値近傍とで微調整が必要となり、レベル値の中央値近傍では微調整が不要である場合を想定する。この場合、一例として、第１動作範囲は、レベル値「０」〜「３０」の範囲と、レベル値「７０」〜「１００」の範囲とである。第２動作範囲は、レベル値「３０」〜「７０」の範囲である。
【００７３】
なお、第１動作範囲が、レベル値の中央値「５０」を含む範囲であり、第１動作範囲が、レベル値の最小値「０」を含む範囲と、最大値「１００」を含む範囲とであってもよい。また、第１動作範囲と第２動作範囲との各々が複数設けられていてもよい。
【００７４】
第１動作範囲及び第２動作範囲の少なくとも一方が複数設けられているので、第１動作範囲に属する複数の第１センサのセット、及び、第２動作範囲に属する複数の第２センサのセットの少なくとも一方が、複数のセンサ１０には含まれる。
【００７５】
本変形例では、図５及び図６に示すように、センサ１０ａ〜１０ｋに対して、レベル間隔が「１０」となるように、レベル値「０」〜「１００」が昇順で割り当てられている。図５に示すように、第１動作範囲には、センサ１０ａ〜１０ｄと、センサ１０ｈ〜１０ｋとが含まれる。第２動作範囲には、センサ１０ｄ〜１０ｈが含まれる。なお、第１動作範囲と第２動作範囲との境界に位置するセンサ１０ｄ及びセンサ１０ｈは、両方の範囲に属しているとみなす。
【００７６】
図６に示すように、第１動作範囲におけるセンサ１０ａ〜１０ｄ及びセンサ１０ｈ〜１０ｋはそれぞれ、配置間隔がｄ１となるように等間隔で配置されている。第２動作範囲におけるセンサ１０ｄ〜１０ｈは、配置間隔ｄ２となるように等間隔で配置されている。本変形例では、配置間隔ｄ１は、配置間隔ｄ２より大きい。なお、センサ１０ａ〜１０ｄにおける配置間隔と、センサ１０ｈ〜１０ｋにおける配置間隔とは、互いに異なっていてもよい。
【００７７】
これにより、第１動作範囲におけるセンサ１０ａ〜１０ｄ及びセンサ１０ｈ〜１０ｋでは配置間隔が広いので、被センシング物２が意図せず隣のセンサのセンシング範囲に入ることが抑制されるので、微調整を行いやすくなる。第２動作範囲におけるセンサ１０ｄ〜１０ｈでは配置間隔が狭いので、少ない操作量で大きく動作レベルを変更することができる。
【００７８】
このように、本変形例に係る制御スイッチでは、機器３の動作範囲は、第１動作範囲及び第２動作範囲の少なくとも一方を複数有し、複数のセンサ１０は、第１動作範囲に属する複数の第１センサのセット及び第２動作範囲に属する複数の第２センサのセットの少なくとも一方を複数含んでいる。
【００７９】
これにより、例えば、微調整が必要な動作範囲が複数存在する場合であっても、複数の動作範囲の各々で配置間隔を大きくすることができるので、意図しないレベル変更が抑制されて微調整が行いやすくなる。あるいは、微調整が不要な動作範囲が複数存在する場合であっても、複数の動作範囲の各々で配置間隔を大きくすることができるので、少ない操作量で大きくレベル値を変更することができる。
【００８０】
なお、図５及び図６では、レベル値「０」〜「３０」までの第１動作範囲に属するセンサの数と、レベル値「７０」〜「１００」までの第１動作範囲に属するセンサの数とが等しい例について示したが、これに限定されない。複数の第１動作範囲が設けられている場合に、各々に含まれるセンサの個数は互いに異なっていてもよい。
【００８１】
（変形例２）
続いて、上記の実施の形態に係る制御スイッチの変形例２について、図７を用いて説明する。図７は、本変形例に係る制御スイッチ１において、複数のセンサ１０が略同時に被センシング物２をセンシングする様子を示す図である。
【００８２】
上記の実施の形態では、複数のセンサ１０のセンシング範囲が重複しておらず、被センシング物２が複数のセンシング範囲に入らない場合について説明した。これに対し、図７に示すように、被センシング物２が複数のセンサ１０のセンシング範囲に跨って存在する場合が考えられる。
【００８３】
本変形例では、制御部３０は、複数のセンサ１０のうち２つのセンサが略同時に被センシング物２をセンシングした場合、当該２つのセンサに割り当てられた２つのレベル値の平均値に応じた動作レベルで機器３を動作させる。なお、略同時とは、同時、又は、実質的に同時とみなせる程度に僅かな時間以内を意味する。
【００８４】
このように、本変形例に係る制御スイッチ１では、制御部３０は、複数のセンサ１０のうち２つのセンサが略同時に被センシング物２をセンシングした場合、当該２つのセンサに割り当てられた２つのレベル値の平均値に応じた動作レベルで機器３を動作させる。
【００８５】
これにより、センサの個数を抑制しつつ、より高い精度で動作レベルを調整することができる。
【００８６】
なお、制御部３０は、３つ以上のセンサが被センシング物２をセンシングした場合も同様に、当該３つ以上のセンサに割り当てられた３つ以上のレベル値の平均値に応じた動作レベルで機器３を動作させてもよい。
【００８７】
また、センサが静電容量式センサの場合、静電容量の変化が大きい程、被センシング物２がセンサに近いことを意味する。したがって、制御部３０は、２つのセンサの各々の静電容量の変化の大きさに基づいて、２つのレベル値を重み付け加算した値に応じた動作レベルで機器３を動作させてもよい。
【００８８】
例えば、センサ１２とセンサ１３とが略同時に被センシング物２をセンシングした場合において、被センシング物２がセンサ１３により近いときを想定する。この場合、センサ１３の静電容量の変化量がセンサ１２の静電容量の変化量より大きくなるので、制御部３０は、センサ１３に割り当てられたレベル値をセンサ１２に割り当てられたレベル値より大きく重み付けて加算してもよい。
【００８９】
（他の実施の形態）
以上、１つ又は複数の態様に係る制御スイッチについて、実施の形態に基づいて説明したが、本開示は、これらの実施の形態に限定されるものではない。本開示の主旨を逸脱しない限り、当業者が思いつく各種変形を本実施の形態に施したもの、及び、異なる実施の形態における構成要素を組み合わせて構築される形態も、本開示の範囲内に含まれる。
【００９０】
例えば、上記の実施の形態では、微調整が必要な第１動作範囲は、微調整が不要な第２動作範囲より広い例について示したが、これに限らない。第１動作範囲は、第２動作範囲より狭くてもよく、あるいは、第２動作範囲に等しくてもよい。例えば、レベル値「０」〜「６０」が第１動作範囲に属し、レベル値「６０」〜「１００」が第２動作範囲に属してもよい。つまり、第１動作範囲で調整可能なレベル差は「６０」であり、第２動作範囲で調整可能なレベル差は「４０」でもよい。
【００９１】
また、例えば、上記の実施の形態では、複数のセンサに割り当てられた複数のレベル値が固定である例について示したが、レベル値は変更可能でもよい。
【００９２】
また、上記の各実施の形態は、特許請求の範囲又はその均等の範囲において種々の変更、置き換え、付加、省略などを行うことができる。
【産業上の利用可能性】
【００９３】
本開示は、機器の動作レベルの制御に対する操作性が高められた制御スイッチとして利用でき、例えば、照明機器、音響機器、空調機器などの各種エレクトロニクス機器の動作レベルを制御するスイッチなどに利用することができる。
【符号の説明】
【００９４】
１  制御スイッチ
２  被センシング物
３  機器
４  光源
５  支持部
１０、１０ａ、１０ｂ、１０ｃ、１０ｄ、１０ｅ、１０ｆ、１０ｇ、１０ｈ、１０ｉ、１０ｊ、１０ｋ、１１、１２、１３、１４、１５、１６  センサ
２０  基台
３０  制御部
【図１】
2017134995.tif 000003
【図２】
2017134995.tif 000004
【図３Ａ】
2017134995.tif 000005
【図３Ｂ】
2017134995.tif 000006
【図４】
2017134995.tif 000007
【図５】
2017134995.tif 000008
【図６】
2017134995.tif 000009
【図７】
2017134995.tif 000010